(57)【要約】      （修正有）【課題】４Ｋまたは８Ｋ解像度の自主放送を伝送する、自主放送装置及び自主放送システムを提供する。【解決手段】１または複数の４Ｋまたは８Ｋ解像度の自主放送信号を入力する入力手段（ＨＥＶＣエンコーダ１１）と、自主放送毎の番組情報としての各局ＳＩを生成する各局ＳＩ生成手段（各局ＳＩ生成部４１）と、入力される全ての自主放送に関する番組情報としての全局ＳＩを生成する全局ＳＩ生成手段（全局ＳＩ生成部４２）と、各局ＳＩを対応する自主放送信号に対してそれぞれ付加する各局ＳＩ付加手段（ＭＵＸ１３）と、全局ＳＩを自主放送信号の全てに対して付加する全局ＳＩ付加手段（ＭＵＸ１３、ＴＬＶ生成部１４）と、各局ＳＩと全局ＳＩとが付加された自主放送信号を周波数多重する周波数多重手段（混合部１６）と、多重化された自主放送信号を送信する送信手段（Ｅ／Ｏ１９−１〜１９−ｎ）と、を有する。【選択図】図２
2017208788.tif 000002
【特許請求の範囲】
【請求項１】
自主放送信号を送信する自主放送装置において、
１または複数の４Ｋまたは８Ｋ解像度の自主放送信号を入力する入力手段と、
前記自主放送信号に含まれる番組に関する番組情報であって、自主放送毎の番組情報としての各局ＳＩ（Service Information）を生成する各局ＳＩ生成手段と、
前記自主放送信号に含まれる番組に関する番組情報であって、入力される全ての自主放送に関する番組情報としての全局ＳＩを生成する全局ＳＩ生成手段と、
前記各局ＳＩ生成手段によって生成された前記各局ＳＩを、対応する前記自主放送信号に対してそれぞれ付加する各局ＳＩ付加手段と、
前記全局ＳＩ生成手段によって生成された前記全局ＳＩを、前記自主放送信号の全てに対して付加する全局ＳＩ付加手段と、
前記各局ＳＩ付加手段および前記全局ＳＩ付加手段によって前記各局ＳＩと前記全局ＳＩとが付加された前記自主放送信号を周波数多重する周波数多重手段と、
前記周波数多重手段によって多重化された前記自主放送信号を送信する送信手段と、
を有することを特徴とする自主放送装置。
【請求項２】
高度ＢＳ／ＣＳ放送信号を受信する高度ＢＳ／ＣＳ放送信号受信手段と、
前記高度ＢＳ／ＣＳ放送信号受信手段によって受信された前記高度ＢＳ／ＣＳ放送信号に含まれている全局ＳＩを抽出する抽出手段と、をさらに有し、
前記全局ＳＩ生成手段は、前記抽出手段によって抽出された前記全局ＳＩと、入力される全ての自主放送に関する番組情報とから全局ＳＩを生成するとともに、前記全局ＳＩ付加手段は、前記全局ＳＩ生成手段によって得られた前記全局ＳＩを前記自主放送信号と前記高度ＢＳ／ＣＳ放送信号の全てに対して付加し、
前記周波数多重手段は、前記入力手段から入力された前記自主放送信号と、前記高度ＢＳ／ＣＳ放送信号受信手段によって受信された前記高度ＢＳ／ＣＳ放送信号とを周波数多重する、
ことを特徴とする請求項１に記載の自主放送装置。
【請求項３】
前記入力手段から入力される前記自主放送信号を２Ｋ以下の解像度の放送信号に変換する変換手段をさらに有し、
前記周波数多重手段は、前記変換手段によって得られた前記自主放送信号も周波数多重する、
ことを特徴とする請求項１または２に記載の自主放送装置。
【請求項４】
自主放送信号を送信する自主放送装置と、前記自主放送信号を受信する受信装置とを有する自主放送システムにおいて、
前記自主放送装置は、
１または複数の４Ｋまたは８Ｋ解像度の自主放送信号を入力する入力手段と、
前記自主放送信号に含まれる番組に関する番組情報であって、自主放送毎の番組情報としての各局ＳＩ（Service Information）を生成する各局ＳＩ生成手段と、
前記自主放送信号に含まれる番組に関する番組情報であって、入力される全ての自主放送に関する番組情報としての全局ＳＩを生成する全局ＳＩ生成手段と、
前記各局ＳＩ生成手段によって生成された前記各局ＳＩを、対応する前記自主放送信号に対してそれぞれ付加する各局ＳＩ付加手段と、
前記全局ＳＩ生成手段によって生成された前記全局ＳＩを、前記自主放送信号の全てに対して付加する全局ＳＩ付加手段と、
前記各局ＳＩ付加手段および前記全局ＳＩ付加手段によって前記各局ＳＩと前記全局ＳＩとが付加された前記自主放送信号を周波数多重する周波数多重手段と、
前記周波数多重手段によって多重化された前記自主放送信号を送信する送信手段と、を有し、
前記受信装置は、
前記光伝送路を伝送される前記自主放送信号を受信する受信手段を有する、
ことを特徴とする自主放送システム。
【発明の詳細な説明】
【技術分野】
【０００１】
本発明は、自主放送装置および自主放送システムに関するものである。
【背景技術】
【０００２】
特許文献１には、例えば、学校の教室や、ホテルの客室に配置されたテレビ受像機に自主放送を配信する自主放送システムに関する技術が開示されている。
【先行技術文献】
【特許文献】
【０００３】
【特許文献１】特開２０１１−１９９８５９号公報
【発明の概要】
【発明が解決しようとする課題】
【０００４】
ところで、近年では、解像度が３８４０×２１６０ピクセルおよび７６８０×４３２０ピクセルの４Ｋおよび８Ｋの試験放送が開始され、４Ｋおよび８Ｋへの期待が高まっている。しかしながら、特許文献１に開示された技術では、例えば、４Ｋまたは８Ｋ解像度の自主放送信号を伝送することができないという問題点がある。
【０００５】
本発明は、以上の点に鑑みてなされたものであり、４Ｋまたは８Ｋ解像度の自主放送信号を伝送可能な自主放送装置および自主放送システムを提供することを目的としている。
【課題を解決するための手段】
【０００６】
上記課題を解決するために、本発明は、自主放送信号を送信する自主放送装置において、１または複数の４Ｋまたは８Ｋ解像度の自主放送信号を入力する入力手段と、前記自主放送信号に含まれる番組に関する番組情報であって、自主放送毎の番組情報としての各局ＳＩ（Service Information）を生成する各局ＳＩ生成手段と、前記自主放送信号に含まれる番組に関する番組情報であって、入力される全ての自主放送に関する番組情報としての全局ＳＩを生成する全局ＳＩ生成手段と、前記各局ＳＩ生成手段によって生成された前記各局ＳＩを、対応する前記自主放送信号に対してそれぞれ付加する各局ＳＩ付加手段と、前記全局ＳＩ生成手段によって生成された前記全局ＳＩを、前記自主放送信号の全てに対して付加する全局ＳＩ付加手段と、前記各局ＳＩ付加手段および前記全局ＳＩ付加手段によって前記各局ＳＩと前記全局ＳＩとが付加された前記自主放送信号を周波数多重する周波数多重手段と、前記周波数多重手段によって多重化された前記自主放送信号を送信する送信手段と、を有することを特徴とする。
このような構成によれば、４Ｋまたは８Ｋ解像度の自主放送信号を伝送することが可能になる。
【０００７】
また、本発明は、高度ＢＳ／ＣＳ放送信号を受信する高度ＢＳ／ＣＳ放送信号受信手段と、前記高度ＢＳ／ＣＳ放送信号受信手段によって受信された前記高度ＢＳ／ＣＳ放送信号に含まれている全局ＳＩを抽出する抽出手段と、をさらに有し、前記全局ＳＩ生成手段は、前記抽出手段によって抽出された前記全局ＳＩと、入力される全ての自主放送に関する番組情報とから全局ＳＩを生成するとともに、前記全局ＳＩ付加手段は、前記全局ＳＩ生成手段によって得られた前記全局ＳＩを前記自主放送信号と前記高度ＢＳ／ＣＳ放送信号の全てに対して付加し、前記周波数多重手段は、前記入力手段から入力された前記自主放送信号と、前記高度ＢＳ／ＣＳ放送信号受信手段によって受信された前記高度ＢＳ／ＣＳ放送信号とを周波数多重する、ことを特徴とする。
このような構成によれば、自主放送信号に加えて高度ＢＳ／ＣＳ放送信号も伝送することが可能になる。
【０００８】
また、本発明は、前記入力手段から入力される前記自主放送信号を２Ｋ以下の解像度の放送信号に変換する変換手段をさらに有し、前記周波数多重手段は、前記変換手段によって得られた前記自主放送信号も周波数多重する、ことを特徴とする。
このような構成によれば、受信側において、４Ｋまたは８Ｋ解像度の放送信号を視聴する環境が完全に整っていない場合でも自主放送を視聴することができる。
【０００９】
また、本発明は、自主放送信号を送信する自主放送装置と、前記自主放送信号を受信する受信装置とを有する自主放送システムにおいて、前記自主放送装置は、１または複数の４Ｋまたは８Ｋ解像度の自主放送信号を入力する入力手段と、前記自主放送信号に含まれる番組に関する番組情報であって、自主放送毎の番組情報としての各局ＳＩ（Service Information）を生成する各局ＳＩ生成手段と、前記自主放送信号に含まれる番組に関する番組情報であって、入力される全ての自主放送に関する番組情報としての全局ＳＩを生成する全局ＳＩ生成手段と、前記各局ＳＩ生成手段によって生成された前記各局ＳＩを、対応する前記自主放送信号に対してそれぞれ付加する各局ＳＩ付加手段と、前記全局ＳＩ生成手段によって生成された前記全局ＳＩを、前記自主放送信号の全てに対して付加する全局ＳＩ付加手段と、前記各局ＳＩ付加手段および前記全局ＳＩ付加手段によって前記各局ＳＩと前記全局ＳＩとが付加された前記自主放送信号を周波数多重する周波数多重手段と、前記周波数多重手段によって多重化された前記自主放送信号を送信する送信手段と、を有し、前記受信装置は、前記光伝送路を伝送される前記自主放送信号を受信する受信手段を有する、ことを特徴とする。
このような構成によれば、４Ｋまたは８Ｋ解像度の自主放送信号を伝送することが可能になる。
【発明の効果】
【００１０】
本発明によれば、４Ｋまたは８Ｋ解像度の自主放送信号を伝送することが可能な自主放送装置および自主放送システムを提供することができる。
【図面の簡単な説明】
【００１１】
【図１】本発明の第１実施形態に係る自主放送システムの構成例を示す図である。
【図２】図１に示す自主放送装置の構成例を示す図である。
【図３】各局ＳＩと全局ＳＩの一例を示す図である。
【図４】図１に示す受信装置の構成例を示す図である。
【図５】ＭＭＴプロトコルスタックを示す図である。
【図６】第１実施形態において混合部から出力される信号の周波数配列状態を示す図である。
【図７】本発明の第２実施形態に係る自主放送装置の構成例を示す図である。
【図８】本発明の第３実施形態に係る自主放送装置の構成例を示す図である。
【図９】第３実施形態における受信装置の構成例を示す図である。
【図１０】第３実施形態において混合部から出力される信号の周波数配列状態を示す図である。
【図１１】第３実施形態の各局ＳＩ生成部において実行される処理の一例を説明するためのフローチャートである。
【図１２】第３実施形態の全局ＳＩ生成部において実行される処理の一例を説明するためのフローチャートである。
【発明を実施するための形態】
【００１２】
次に、本発明の実施形態について説明する。
【００１３】
（Ａ）本発明の第１実施形態の構成の説明
図１は、本発明の第１実施形態に係る自主放送システムの構成例を示す図である。図１に示すように、第１実施形態に係る自主放送システムは、自主放送装置１、光伝送路２−１〜２−ｎ（ｎ≧１）、および、受信装置３−１〜３−ｎ等を主要な構成要素とする。
【００１４】
ここで、自主放送装置１は、例えば、自主放送を作成する放送局や、スポーツイベントを開催する競技場、娯楽イベントを開催する施設等に配置される。もちろん、これら以外の場所に設置されてもよい。自主放送装置１は、図示しない編集装置から４Ｋまたは８Ｋ解像度の映像信号（以下では「４Ｋ／８Ｋ映像信号」と称する）を入力し、符号化処理等を行った後、光信号に変換して光伝送路２−１〜２−ｎを介して受信装置３−１〜３−ｎに送信する。
【００１５】
光伝送路２−１〜２−ｎは、例えば、光ファイバによって構成され、光信号を自主放送装置１から受信装置３−１〜３−ｎに伝送する。
【００１６】
受信装置３−１〜３−ｎは、例えば、ホテル、学校、病院等に設置され、自主放送装置１から光伝送路２−１〜２−ｎを介して伝送される光信号を受信して電気信号に変換し、例えば、ホール等に配置される４Ｋまたは８Ｋ解像度のテレビ受像機に供給する。
【００１７】
図２は、図１に示す自主放送装置１の構成例を示す図である。自主放送装置１は、自主放送部１０−１〜１０−ｍ（ｍ≧１）、混合部１６、４Ｋ（８Ｋ）ＴＶ１７、分配部１８、Ｅ／Ｏ（Electrical/Optical）１９−１〜１９−ｎ、各局ＳＩ（Service Information）生成部４１、および、全局ＳＩ生成部４２を有している。
【００１８】
自主放送部１０−１〜１０−ｍは、４Ｋ／８Ｋ映像信号を入力して符号化し、各局ＳＩおよび全局ＳＩを付与した後、１６ＡＰＳＫ（Amplitude and Phase Shift Keying）によって変調して出力する。
【００１９】
自主放送部１０−１〜１０−ｍのそれぞれは、同様の構成とされているので、以下では自主放送部１０−１を例に挙げて説明する。自主放送部１０−１は、ＨＥＶＣ（High Efficiency Video Coding）エンコーダ１１、バッファ１２−１，１２−２、ＭＵＸ（Multiplexer）１３、ＴＬＶ（Type Length Value）生成部１４、１６ＡＰＳＫ変調部１５を有している。
【００２０】
ＨＥＶＣエンコーダ１１は、例えば、編集装置等から供給される４Ｋ／８Ｋ映像信号を入力してＨＥＶＣによるエンコーディングを実行し、得られたデータをＭＵＸ１３に出力する。
【００２１】
バッファ１２−１は、例えば、半導体メモリ等によって構成され、各局ＳＩ生成部４１から供給される各局ＳＩを構成する情報を格納し、ＭＵＸ１３に供給する。バッファ１２−２は、例えば、半導体メモリ等によって構成され、全局ＳＩ生成部４２から供給される全局ＳＩを構成する情報を格納し、ＭＵＸ１３に供給する。
【００２２】
ＭＵＸ１３は、ＨＥＶＣエンコーダ１１から供給される情報と、バッファ１２−１，１２−２から供給される情報とを重畳し、ＴＬＶ生成部１４に供給する。
【００２３】
ＴＬＶ生成部１４は、ＨＥＶＣエンコーダ１１によってエンコードされた放送信号をＭＭＴＰ（MPEG Media Transport Protocol）パケットに格納し、ＩＰ（Internet Protocol）パケット化した後、ＴＬＶ多重化方式により多重化する。なお、ＴＬＶ生成部１４は、全局ＳＩ生成部４２から供給される、ＴＬＶ多重化方式の制御情報であるＴＬＶ−ＮＩＴ（Network Information Table）をＴＬＶパケットに付加する。
【００２４】
１６ＡＰＳＫ変調部１５は、ＴＬＶ生成部１４から供給されるＴＬＶパケットに対して１６ＡＰＳＫ変調を施して混合部１６に供給する。
【００２５】
混合部１６は、自主放送部１０−１〜１０−ｍから出力される周波数が異なる変調信号を混合した後、４Ｋ（８Ｋ）ＴＶ１７および分配部１８に供給する。
【００２６】
４Ｋ（８Ｋ）ＴＶ１７は、例えば、競技場に配置される４Ｋまたは８Ｋ解像度のテレビ受像機によって構成され、混合部１６から供給される４Ｋ／８Ｋ映像信号を表示部に表示する。
【００２７】
分配部１８は、混合部１６から出力される信号を分配して、Ｅ／Ｏ１９−１〜１９−ｎに供給する。
【００２８】
Ｅ／Ｏ１９−１〜１９−ｎは、分配部１８から供給される電気信号を、対応する光信号に変換し、光伝送路２−１〜２−ｎに送出する。
【００２９】
各局ＳＩ生成部４１は、自主放送部１０−１〜１０−ｍのそれぞれに対して、各局ＳＩを個別に生成して出力する。なお、各局ＳＩの一例を図３に示す。この図３の例では、各局ＳＩは、ＡＭＴ、ＭＰＴ、ＰＬＴ、ＭＨ−ＳＤＴ、ＭＨ−ＥＩＴ（ｐ／ｆ  ａｃｔｕａｌ）、および、ＭＨ−ＥＩＴ（ｓｃｈｅｄｕｌｅ）を有している。
【００３０】
全局ＳＩ生成部４２は、自主放送部１０−１〜１０−ｍのそれぞれに対して、全局ＳＩを生成して出力する。全局ＳＩの一例を図３に示す。この図３の例では、全局ＳＩは、ＴＬＶ−ＮＩＴ、ＭＨ−ＳＤＴ、ＭＨ−ＢＩＴ、および、ＭＨ−ＴＯＴを有している。
【００３１】
図４は、図１に示す受信装置３−１〜３−ｎの構成例を示す図である。なお、受信装置３−１〜３−ｎおよび光伝送路２−１〜２−ｎは同様の構成を有するので、以下では、これらを受信装置３および光伝送路２として説明する。
【００３２】
受信装置３は、Ｏ／Ｅ（Optical/Electrical）３１および４Ｋ（８Ｋ）ＴＶ３２を有している。ここで、Ｏ／Ｅ３１は、光伝送路２を伝送される光信号を対応する電気信号に変換して出力する。４Ｋ（８Ｋ）ＴＶ３２は、４Ｋまたは８Ｋ解像度のテレビ受像機によって構成され、Ｏ／Ｅ３１から出力される電気信号に含まれている放送信号から所望のチャンネルの放送を選択して復調し、映像を表示部に表示するとともに、音声をスピーカから放音する。
【００３３】
（Ｂ）本発明の第１実施形態の動作の説明
つぎに、本発明の第１実施形態の動作について説明する。なお、以下では、自主放送装置１が競技場に配置され、受信装置３−１〜３−ｎがホテルに配置される場合を例に挙げて説明する。
【００３４】
競技場において開催されるイベントを撮影し、図示しない編集装置によって編集された４Ｋ／８Ｋ解像度の映像信号（音声信号等を含む）が自主放送装置１の自主放送部１０−１に供給されると、ＨＥＶＣエンコーダ１１がＨ．２６５（ＩＳＯ／ＩＥＣ  ２３００８−２）に基づいて放送信号をエンコード（圧縮）して出力する。同様にして、他のイベントを撮影し、編集された４Ｋ／８Ｋ解像度の映像信号が自主放送装置１の自主放送部１０−２〜１０−ｍに対して供給されると、それぞれの自主放送部１０−２〜１０−ｍが有するＨＥＶＣエンコーダ１１がＨ．２６５に基づいて映像信号をエンコードして出力する。なお、自主放送部１０−１〜１０−ｍに供給される映像信号は、それぞれが異なるチャンネルの放送であるものとする。
【００３５】
各局ＳＩ生成部４１は、自主放送部１０−１〜１０−ｍに供給される自主放送信号のそれぞれに対応する各局ＳＩを生成し、自主放送部１０−１〜１０−ｍのそれぞれのバッファ１２−１に供給する。より詳細には、例えば、各局ＳＩ生成部４１は、ＡＲＩＢ  ＳＴＤ−Ｂ１０第２部５．１．３項の規定に基づいて、自主放送部１０−１〜１０−ｍに供給される自主放送信号を構成する個々の番組のタイトルや放送予定時刻などの番組情報（ＳＩ：Service Information）を生成し、自主放送部１０−１〜１０−ｍのそれぞれのバッファ１２−１に供給する。なお、各局ＳＩの具体例としては、例えば、図３のような情報がある。また、各局ＳＩ生成部４１は、日付が変わるタイミング、または、番組編成が変更されたタイミングで、各局ＳＩを生成して、自主放送部１０−１〜１０−ｍのそれぞれのバッファ１２−１に供給する。
【００３６】
全局ＳＩ生成部４２は、自主放送部１０−１〜１０−ｍに供給される全ての自主放送信号に対応する全局ＳＩを生成し、自主放送部１０−１〜１０−ｍのそれぞれのバッファ１２−２に供給する。より詳細には、前述した各局ＳＩは、自主放送部１０−１〜１０−ｍのそれぞれが出力する放送に関する個別の情報しか有していないので、視聴者が所定のチャンネルの放送を視聴している場合には他のチャンネルの放送の各局ＳＩを取得することができない。そこで、全てのチャンネルの放送に関する情報としての全局ＳＩを、自主放送部１０−１〜１０−ｍのそれぞれが出力する放送に対して付加することで、視聴している以外のチャンネルの放送についても、内容を知ることができる。なお、全局ＳＩの具体例としては、例えば、図３のような情報があり、バッファ１２−２にはＴＬＶ−ＮＩＴを除く情報が格納される。また、全局ＳＩ生成部４２は、サービス編成が変更された場合（例えば、自主放送部１０−１〜１０−ｍが増減された場合）に、全局ＳＩを生成または更新して、自主放送部１０−１〜１０−ｍのそれぞれのバッファ１２−２に供給する。
【００３７】
ＭＵＸ１３は、ＨＥＶＣエンコーダ１１から出力されるデータに対して、バッファ１２−１に格納される各局ＳＩと、バッファ１２−２に格納される全局ＳＩとをＭＭＴ−ＳＩとして付加したＭＭＴＰ（MMT Protocol）パケットを生成し、生成したＭＭＴＰパケットをＩＰ（Internet Protocol）パケット化して出力する。より詳細には、ＭＵＸ１３は、放送信号に含まれる映像信号、音声信号、および、データをＭＦＵ／ＭＰＵ（Media Fragment Unit/Media Processing Unit）によって符号化し、ＭＭＴＰペイロードに乗せてＭＭＴＰパケット化した後に、ＩＰパケット化する。また、放送番組に関連するデータコンテンツや字幕についてもＭＦＵ／ＭＰＵで符号化し、ＭＭＴＰペイロードに乗せてＭＭＴＰパケット化した後に、ＩＰパケット化する。
【００３８】
ＴＬＶ生成部１４は、ＭＵＸ１３から出力されるＩＰパケットを、ＴＬＶ多重化方式に基づいて多重化するとともに、全局ＳＩ生成部４２から供給されるＴＬＶ−ＮＩＴをＴＬＶパケットに付加して出力する。なお、ＴＬＶは、ＡＲＩＢ  ＳＴＤ−Ｂ３２（３．６版）第３部９およびＳＴＤ−Ｂ１０（５．８版）に規定されている。図５は、ＭＭＴプロトコルスタックを示す図である。ＭＭＴでは配信のための形式としてＭＭＴパケットとＭＭＴペイロードを規定するとともに、コンテンツの論理的な構成としてパッケージを規定している。ＭＭＴパケットは、ＩＰ層の上の層のＵＤＰ（User Datagram Protocol）またはＴＣＰ（Transmission Control Protocol）等のプロトコルで伝送するパケットである。ＩＰパケットでの伝送に適するように可変長となっており、その大きさは下位レイヤで指定される。１つのＭＭＴパケットには１つのＭＭＴペイロードが格納される。ＭＭＴペイロードには同じメディアのデータだけを格納することができ、異なるメディアのデータや制御信号を混載することはできない。異なるメディアのデータを格納した複数のＭＭＴパケットを同じＩＰデータフローに多重して伝送することが可能である。ハイブリッド配信において、コンポーネントを同期して再生するために、ＭＰＵの先頭のアクセスユニットの表示時刻を制御信号に記述する。また、ＭＰＵヘッダーにはＭＰＵ内のアクセスユニットの表示期間を記述する。クライアント端末は制御信号を解析してコンテンツを構成するＭＰＵとその表示時刻を特定し、ＭＰＵの内部を解析してアクセスユニット毎の表示期間を特定する。このようにすることで、異なる伝送路で伝送するＭＰＵを同期して利用することができる。
【００３９】
１６ＡＰＳＫ変調部１５は、ＴＬＶ生成部１４から出力されるパケットを、ＡＲＩＢ−ＳＴＤ−Ｂ４４（２．１版）の規定に従い１６ＡＰＳＫ変調し、所定の周波数の信号として出力する。なお、以上のような動作は、自主放送部１０−２〜１０−ｍでも同様に実行されるので、自主放送部１０−１〜１０−ｍからは、異なる周波数によって１６ＡＰＳＫ変調された複数の信号が出力される。
【００４０】
混合部１６は、自主放送部１０−１〜１０−ｍから供給される信号を混合（周波数多重）して出力する。図６は、混合部１６から出力される信号の周波数配列状態を示す図である。混合部１６から出力される信号は、ＢＳの左旋偏波に対応する２，２２４ＭＨｚ〜２，６８１ＭＨｚの帯域またはＣＳの左旋偏波に対応する２，７４８ＭＨｚ〜３，２２４ＭＨｚの帯域のいずれかの位置に対して配置される。なお、これらの帯域には、通常、高度ＢＳ／ＣＳ放送が割り当てられているが、本実施形態では、このような帯域を流用することで、市販されている既存の４Ｋ（８Ｋ）ＴＶを用いて、４Ｋ／８Ｋ解像度の自主放送を視聴することができる。
【００４１】
混合部１６から出力される信号（電気信号）は、分配部１８によって分配され、Ｅ／Ｏ１９−１〜１９−ｎに供給されるとともに、４Ｋ（８Ｋ）ＴＶ１７に供給される。Ｅ／Ｏ１９−１〜１９−ｎは、分配部１８から供給される電気信号を対応する光信号に変換し、光伝送路２−１〜２−ｎを介して受信装置３−１〜３−ｎに供給する。また、４Ｋ（８Ｋ）ＴＶ１７では、電気信号に含まれている所定の周波数の１６ＡＰＳＫ変調された信号を抽出して復調し、映像信号および音声信号を再生し、表示部に表示するとともにスピーカから放音する。これにより、自主放送部１０−１〜１０−ｍによって生成された自主放送信号から所望の自主放送を選択して４Ｋ（８Ｋ）ＴＶ１７によって視聴することができる。
【００４２】
一方、光伝送路２−１〜２−ｎを伝送された光信号は、図４に示すように、Ｏ／Ｅ３１によって対応する電気信号に変換された後、４Ｋ（８Ｋ）ＴＶ３２に供給される。４Ｋ（８Ｋ）ＴＶ３２は、電気信号に含まれている所定の周波数の１６ＡＰＳＫ変調された信号を抽出して復調し、映像信号および音声信号を再生し、表示部に表示するとともにスピーカから放音する。これにより、４Ｋ（８Ｋ）ＴＶ３２が配置されたホテル等の施設では、自主放送部１０−１〜１０−ｍによって生成された自主放送信号から所望の自主放送を選択して４Ｋ（８Ｋ）ＴＶ３２によって視聴することができる。また、各局ＳＩ４１および全局ＳＩ４２によって付加された各局ＳＩおよび全局ＳＩを参照することで、個々の番組のタイトルや放送予定時刻などの番組情報を得ることができる。
【００４３】
以上に説明したように、本発明の第１実施形態では、高度ＢＳ／ＣＳ放送が割り当てられている周波数帯域を用いることで、既存の４Ｋ（８Ｋ）ＴＶを用いて、４Ｋ／８Ｋ解像度の自主放送を視聴することができる。
【００４４】
また、本発明の第１実施形態では、各局ＳＩ４１および全局ＳＩ４２によって各局ＳＩおよび全局ＳＩを付加するようにしたので、受信装置３−１〜３−ｎでは、個々の番組のタイトルや放送予定時刻などの番組情報を知ることができる。
【００４５】
（Ｃ）本発明の第２実施形態の構成の説明
つぎに、本発明の第２実施形態について説明する。なお、第２実施形態においては、図１に示す構成において、自主放送装置１の構成が異なっている。第２実施形態の自主放送装置１の構成例について、図７を参照して説明する。
【００４６】
図７は、第２実施形態の構成例を示す図である。図７において、図２と対応する部分には同一の符号を付してその説明を省略する。図７では、図２と比較すると、高度ＢＳ／ＣＳ再放送装置２０−１〜２０−ｐが新たに付加されている。これら以外の構成は、図２と同様であるので、以下では、高度ＢＳ／ＣＳ再放送装置２０−１〜２０−ｐを中心に説明する。
【００４７】
高度ＢＳ／ＣＳ再放送装置２０−１〜２０−ｐは、それぞれ同様の構成とされているので、以下では、高度ＢＳ／ＣＳ再放送装置２０−１を例に挙げて説明する。高度ＢＳ／ＣＳ再放送装置２０−１は、１６ＡＰＳＫ復調部２１、ＴＬＶ＆ＭＭＴ抽出部２２、ＭＭＴ置換部２３、ＴＬＶ置換部２４、１６ＡＰＳＫ変調部２５を有している。
【００４８】
ここで、１６ＡＰＳＫ復調部２１は、図示しないパラボラアンテナによって受信された高度ＢＳ／ＣＳ放送信号を入力し、１６ＡＰＳＫ復調を施し、得られたデータをＭＭＴ置換部２３およびＴＬＶ＆ＭＭＴ抽出部２２に供給する。ＴＬＶ＆ＭＭＴ抽出部２２は、１６ＡＰＳＫ復調部２１から供給されるデータからＴＬＶ−ＮＩＴ、ＭＭＴ−ＳＤ、および、ＭＭＴ−ＢＩＴを抽出して全局ＳＩ生成部４２に供給する。
【００４９】
ＭＭＴ置換部２３は、全局ＳＩ生成部４２から供給されるＭＭＴ−ＳＤおよびＭＭＴ−ＢＩＴによって、１６ＡＰＳＫ復調部２１から出力されるデータにもともと含まれているＭＭＴ−ＳＤＴおよびＭＭＴ−ＢＩＴを置換する。
【００５０】
ＴＬＶ置換部２４は、全局ＳＩ生成部４２から供給されるＴＬＶ−ＮＩＴによって、１６ＡＰＳＫ復調部２１から出力されるデータにもともと含まれているＴＬＶ−ＮＩＴを置換する。
【００５１】
１６ＡＰＳＫ変調部２５は、ＴＬＶ置換部２４から供給されるデータを、１６ＡＰＳＫ変調して混合部１６に供給する。
【００５２】
なお、第２実施形態では、自主放送部１０−１〜１０−ｍから出力される自主放送信号は、高度ＢＳ／ＣＳ再放送装置２０−１〜２０−ｐから出力される放送信号と、周波数が重複しないように配置される。また、高度ＢＳ／ＣＳ再放送装置２０−１〜２０−ｐは、高度ＢＳ／ＣＳ放送の全ての放送信号を受信するのではなく、所定の放送信号のみを受信するように設定することができる。
【００５３】
（Ｄ）本発明の第２実施形態の動作の説明
つぎに、本発明の第２実施形態の動作について説明する。第２実施形態では、高度ＢＳ／ＣＳ再放送装置２０−１〜２０−ｐは、高度ＢＳ／ＣＳ放送に含まれる全局ＳＩを抽出して全局ＳＩ生成部４２に供給する。全局ＳＩ生成部４２は、自主放送の全局ＳＩと、高度ＢＳ／ＣＳ放送に含まれる全局ＳＩとを合成し、得られた全局ＳＩによって、１６ＡＰＳＫ復調部２１から出力されるデータにもともと含まれている全局ＳＩを置換して出力する。
【００５４】
より詳細には、１６ＡＰＳＫ復調部２１は、例えば、図示しないパラボラアンテナから供給される放送信号から所望の周波数の放送信号を選択して１６ＡＰＳＫ復調を施し、得られたデータをＴＬＶ＆ＭＭＴ抽出部２２とＭＭＴ置換部２３に供給する。
【００５５】
ＴＬＶ＆ＭＭＴ抽出部２２は、ＡＰＳＫ復調部２１から供給されるデータから、ＴＬＶ−ＮＩＴ、ＭＭＴ−ＳＤ、および、ＭＭＴ−ＢＩＴを抽出して全局ＳＩ生成部４２に供給する。
【００５６】
全局ＳＩ生成部４２は、第１実施形態の場合と同様に自主放送に関する全局ＳＩを生成する。また、全局ＳＩ生成部４２は、ＴＬＶ＆ＭＭＴ抽出部２２から供給されるＴＬＶ−ＮＩＴ、ＭＭＴ−ＳＤ、および、ＭＭＴ−ＢＩＴによって生成される高度ＢＳ／ＣＳ放送の全局ＳＩと、自主放送の全局ＳＩとを合成し、高度ＢＳ／ＣＳ放送および自主放送の全ての番組に対する全局ＳＩを生成する。このようにして生成された全局ＳＩは、ＭＭＴ置換部２３およびＴＬＶ置換部２４に供給される。なお、自主放送に設定された情報（例えば、出力周波数、変調方式、変調パラメータ等）と、高度ＢＳ／ＣＳ放送から抽出された全局ＳＩより得られる同様の情報を用いて、高度ＢＳ／ＣＳ放送および自主放送の全ての番組に対する全局ＳＩを生成するようにしてもよい。
【００５７】
ＭＭＴ置換部２３は、１６ＡＰＳＫ復調部２１から供給されるデータにもともと含まれているＭＭＴ−ＳＤＴとＭＭＴ−ＢＩＴとを、全局ＳＩ生成部４２から供給されるＭＭＴ−ＳＤＴとＭＭＴ−ＢＩＴとによって置換する。また、ＴＬＶ置換部２４は、ＭＭＴ置換部２３から供給されるデータにもともと含まれているＴＬＶ−ＮＩＴを、全局ＳＩ生成部４２から供給されるＴＬＶ−ＮＩＴによって置換する。なお、このような処理は、高度ＢＳ／ＣＳ再放送装置２０−１〜２０−ｐの全てにおいて実行されるので、高度ＢＳ／ＣＳ再放送装置２０−１〜２０−ｐから出力される放送信号に含まれている全局ＳＩには、高度ＢＳ／ＣＳ放送の全局ＳＩだけでなく、自主放送の全局ＳＩも含まれることになる。同様に、自主放送部１０−１〜１０−ｎから出力される放送信号に含まれている全局ＳＩには、自主放送の全局ＳＩだけでなく、高度ＢＳ／ＣＳ放送の全局ＳＩも含まれることになる。
【００５８】
混合部１６は、高度ＢＳ／ＣＳ再放送装置２０−１〜２０−ｐから出力される放送信号と、自主放送部１０−１〜１０−ｍから出力される自主放送信号とを混合し、４Ｋ（８Ｋ）ＴＶ１７と分配部１８に供給する。４Ｋ（８Ｋ）ＴＶ１７では、自主放送部１０−１〜１０−ｍおよび高度ＢＳ／ＣＳ再放送装置２０−１〜２０−ｐから出力される放送信号から所望の放送信号を選択して視聴することができる。
【００５９】
一方、光伝送路２−１〜２−ｎを伝送された光信号は、Ｏ／Ｅ３１によって対応する電気信号に変換された後、４Ｋ（８Ｋ）ＴＶ３２に供給される。４Ｋ（８Ｋ）ＴＶ３２は、電気信号に含まれている所定の周波数の１６ＡＰＳＫ変調された信号を抽出して復調し、映像信号および音声信号を再生し、表示部に表示するとともにスピーカから放音する。これにより、自主放送部１０−１〜１０−ｍおよび高度ＢＳ／ＣＳ再放送装置２０−１〜２０−ｐによって生成された放送信号から所望の放送を選択して４Ｋ（８Ｋ）ＴＶ１７によって視聴することができる。また、各局ＳＩ４１および全局ＳＩ４２によって付加された各局ＳＩおよび全局ＳＩを参照することで、自主放送と高度ＢＳ／ＣＳ放送に含まれる個々の番組のタイトルや放送予定時刻などの番組情報を得ることができる。
【００６０】
以上に説明したように、本発明の第２実施形態では、高度ＢＳ／ＣＳ放送が配される周波数帯域を用いて、所望の高度ＢＳ／ＣＳ放送と混合して４Ｋ／８Ｋ解像度の自主放送を行うことができる。
【００６１】
また、本発明の第２実施形態では、各局ＳＩ４１および全局ＳＩ４２によって生成した各局ＳＩおよび全局ＳＩを放送信号に付加するようにしたので、受信装置３−１〜３−ｎでは、高度ＢＳ／ＣＳ放送だけでなく、自主放送の個々の番組のタイトルや放送予定時刻などの番組情報を知ることができる。
【００６２】
（Ｅ）本発明の第３実施形態の構成の説明
つぎに、本発明の第３実施形態について説明する。なお、第３実施形態では、図１に示す、自主放送装置１と受信装置３−１〜３−ｎの構成が異なっている。以下では、第３実施形態の自主放送装置１の構成例について図８を参照して説明し、受信装置３−１〜３−ｎの構成例について図９を参照して説明する。
【００６３】
図８は、第３実施形態の構成例を示す図である。なお、図８において、図７と対応する部分には同一の符号を付してその説明を省略する。図８では、図７と比較すると、自主放送部１０−１〜１０−ｍのそれぞれに対して、４Ｋ／２Ｋ変換部５１、バッファ５２、ＭＵＸ５３、および、ＯＦＤＭ（Orthogonal Frequency Division Multiplexing）変調部５４が追加され、ＳＩ生成部４３が自主放送部１０−１〜１０−ｍの外部に追加されている。これら以外の構成は、図７と同様である。
【００６４】
４Ｋ／２Ｋ変換部５１は、ＨＥＶＣエンコーダ１１から供給される４Ｋ解像度（または８Ｋ解像度）の放送信号を２Ｋ解像度の放送信号に変換して出力する。バッファ５２は、ＳＩ生成部４３から供給される共通運用ＳＩおよび個別運用ＳＩを格納し、ＭＵＸ５３に供給する。
【００６５】
ＭＵＸ５２は、４Ｋ／２Ｋ変換部５１から供給される２Ｋ解像度の放送信号と、バッファ５２から供給される共通運用ＳＩおよび個別運用ＳＩとを重畳し、ＭＰＥＧ−２  ＴＳを生成して出力する。ＯＦＤＭ変調部５４は、ＭＵＸ５２から出力されるＭＰＥＧ−２  ＴＳをＯＦＤＭ変調して出力する。
【００６６】
つぎに、図９を参照して、受信装置３−１〜３−ｎの構成例について説明する。なお、図９において、図４と対応する部分には同一の符号を付してその説明を省略する。図９では、図４と比較すると、２ＫＴＶ３３−１〜３３−ｑが追加されている。これら以外の構成は、図４と同様である。
【００６７】
ここで、２ＫＴＶ３３−１〜３３−ｑは、２Ｋ解像度の放送信号（地上デジタル放送）を表示可能なテレビ受像機である。２ＫＴＶ３３−１〜３３−ｑは、例えば、ホテルの客室にそれぞれ配置され、例えば、建物の壁内等に敷設された同軸ケーブルによってＯ／Ｅ３１と接続されている。
【００６８】
（Ｆ）本発明の第３実施形態の動作の説明
つぎに、本発明の第３実施形態の動作について説明する。なお、第３実施形態において、ＳＩ生成部４３、４Ｋ／２Ｋ変換部５１、バッファ５２、ＭＵＸ５３、および、ＯＦＤＭ変調部５４以外の動作は第２実施形態と同様であるので、以下ではこれらの動作について説明する。
【００６９】
４Ｋ／２Ｋ変換部５１は、ＨＥＶＣエンコーダ１１によってエンコードされた自主放送の放送信号を入力し、４Ｋ解像度の映像信号を２Ｋ解像度にダウンコンバートして出力する。
【００７０】
ＳＩ生成部４３は、自主放送部１０−１〜１０−ｍに供給される自主放送のそれぞれに対応する個別運用ＳＩと、全ての放送に対応する共通運用ＳＩを生成してバッファ５２に供給する。この結果、自主放送部１０−１〜１０−ｍのそれぞれが有するバッファ５２には、それぞれの自主放送に対応する個別運用ＳＩと、全ての自主放送に対応する共通運用ＳＩが格納される。
【００７１】
ＭＵＸ５３は、４Ｋ／２Ｋ変換部５１から供給される放送信号と、バッファ５２に格納されている共通運用ＳＩおよび個別運用ＳＩを重畳し、ＭＰＥＧ−２  ＴＳを生成して出力する。
【００７２】
ＯＦＤＭ変調部５４は、ＭＵＸ５３から出力されるＭＰＥＧ−２  ＴＳを、ＣＡＴＶ下り信号の周波数帯域（９０〜７７０ＭＨｚ）に含まれる所定の周波数のＯＦＤＭ信号に変換して出力する。
【００７３】
ＯＦＤＭ変調部５４から出力されるＯＦＤＭ信号は、混合部１６によって１６ＡＰＳＫ変調部１５，２５から出力される信号と混合（周波数多重）された後、分配部１８と４Ｋ（８Ｋ）ＴＶ１７に供給される。
【００７４】
図１０は、混合部１６から出力される信号の周波数配列状態を示す図である。１６ＡＰＳＫ変調部１５，２５から出力される信号は、ＢＳの左旋偏波に対応する２，２２４ＭＨｚ〜２，６８１ＭＨｚの帯域またはＣＳの左旋偏波に対応する２，７４８ＭＨｚ〜３，２２４ＭＨｚの帯域のいずれかの位置に配置される。また、ＯＦＤＭ変調部５４から出力される信号は、ＣＡＴＶ下り信号の周波数帯域である９０ＭＨｚ〜７７０ＭＨｚのいずれかの位置に配置される。なお、この場合当該信号を地上デジタル放送信号と混合して出力するようにしてもよい。
【００７５】
分配部１８は、混合部１６から供給される信号を分配してＥ／Ｏ１９−１〜Ｅ／Ｏ１９−ｎに供給する。Ｅ／Ｏ１９−１〜Ｅ／Ｏ１９−ｎは、分配部１８から供給される電気信号を対応する光信号に変換し、光伝送路２−１〜２−ｎを介して、受信装置３−１〜３−ｎに伝送する。
【００７６】
受信装置３−１〜３−ｎでは、光伝送路２−１〜２−ｎを介して伝送される光信号を受信する。なお、受信装置３−１〜３−ｎおよび光伝送路２−１〜２−ｎは同様の構成とされているので、以下では、受信装置３−１〜３−ｎを受信装置３とし、光伝送路２−１〜２−ｎを光伝送路２として説明する。
【００７７】
受信装置３では、光伝送路２を介して伝送された光信号をＯ／Ｅ３１によって対応する電気信号に変換し、例えば、ロビー等に配置されている４Ｋ（８Ｋ）ＴＶ３２に供給する。この結果、ロビーにいる宿泊客等は、４Ｋ（８Ｋ）ＴＶ３２によって再生される４Ｋまたは８Ｋ解像度の自主放送または高度ＢＳ／ＣＳ放送を視聴することができる。
【００７８】
また、Ｏ／Ｅ３１から出力される信号は、同軸ケーブルを経由して、各客室に配置された２Ｋ解像度の２ＫＴＶ３３−１〜３３−ｑに供給される。この結果、客室にいる宿泊客は、２ＫＴＶ３３−１〜３３−ｑによって再生される２Ｋ解像度の自主放送を視聴することができる。
【００７９】
つぎに、図１１および図１２を参照して、各局ＳＩ生成部４１および全局ＳＩ生成部４２において実行される処理について説明する。
【００８０】
図１１は、各局ＳＩ生成部４１において実行される処理の一例を説明するフローチャートである。このフローチャートが開始されると、以下のステップが実行される。
【００８１】
ステップＳ１０では、各局ＳＩ生成部４１は、日付が変わったか否かを判定し、日付が変わったと判定した場合（ステップＳ１０：Ｙ）にはステップＳ１１に進み、それ以外の場合（ステップＳ１０：Ｎ）にはステップＳ１３に進む。例えば、午前０時を経過して日付が変わった場合にはＹと判定してステップＳ１１に進む。
【００８２】
ステップＳ１１では、各局ＳＩ生成部４１は、全ての自主放送用の各局ＳＩを生成する。例えば、全ての自主放送部１０−１〜１０−ｍによって生成された自主放送に関する各局ＳＩを生成する。なお、各局ＳＩとしては、全局ＳＩで記述対象の期間以降の最大３２日後までの番組に関するＳＩを生成することができる。
【００８３】
ステップＳ１２では、各局ＳＩ生成部４１は、ステップＳ１１で生成した各局ＳＩを、自主放送部１０−１〜１０−ｍのそれぞれが有するバッファ１２−１に供給する。例えば、自主放送部１０−１に対する各局ＳＩを、自主放送部１０−１が有するバッファ１２−１に対して供給する。同様にして、自主放送部１０−２〜１０−ｍに対する各局ＳＩを、自主放送部１０−２〜１０−ｍのそれぞれが有するバッファ１２−１に対して供給する。この結果、ＭＵＸ１３は、バッファ１２−１に格納されている各局ＳＩを、ＨＥＶＣエンコーダ１１から供給される放送信号に対して重畳する。
【００８４】
ステップＳ１３では、各局ＳＩ生成部４１は、番組編成が変わったか否かを判定し、番組編成が変わったと判定した場合（ステップＳ１３：Ｙ）にはステップＳ１４に進み、それ以外の場合（ステップＳ１３：Ｎ）には処理を終了する。例えば、自主放送の番組の内容や、番組の放送時間が変更になった場合にはＹと判定してステップＳ１４に進む。
【００８５】
ステップＳ１４では、各局ＳＩ生成部４１は、番組編成が変更になった自主放送の各局ＳＩを生成する。例えば、自主放送部１０−１が生成する放送の番組編成が変更になった場合には、自主放送部１０−１に関する各局ＳＩを生成する。
【００８６】
ステップＳ１５では、ステップＳ１４で生成した各局ＳＩを、自主放送部１０−１〜１０−ｍの対応するバッファ１２−１に供給する。例えば、自主放送部１０−１の番組編成が変更になった場合には、自主放送部１０−１が有するバッファ１２−１に対してステップＳ１４で生成した各局ＳＩを供給する。この結果、ＭＵＸ１２−１は、バッファ１２−１に格納されている各局ＳＩを、ＨＥＶＣエンコーダ１１から供給される放送信号に対して重畳する。
【００８７】
以上の処理により、日付の変更または番組編成の変更のタイミングで各局ＳＩを生成して自主放送部１０−１〜１０−ｍに供給することができる。
【００８８】
つぎに、図１２を参照して、全局ＳＩ生成部４２において実行される処理について説明する。図１２に示すフローチャートが開始されると、以下のステップが実行される。
【００８９】
ステップＳ３０では、全局ＳＩ生成部４２は、サービス編成が変わったか否かを判定し、サービス編成が変ったと判定した場合（ステップＳ３０：Ｙ）にはステップＳ３１に進み、それ以外の場合（ステップＳ３０：Ｎ）には処理を終了する。例えば、自主放送装置１に対して新たに自主放送部が追加されたり、既存の自主放送部が廃止されたりした場合にはＹと判定してステップＳ３１に進む。
【００９０】
ステップＳ３１では、全局ＳＩ生成部４２は、自主放送用の全局ＳＩを生成する。例えば、サービス編成が改変された場合には、新たに追加または廃止された自主放送部の内容を含む（または含まない）全局ＳＩが生成される。
【００９１】
ステップＳ３２では、全局ＳＩ生成部４２は、ＴＬＶ＆ＭＭＴ抽出部２２によって抽出された高度ＢＳ／ＣＳ用の全局ＳＩを取得する。この結果、高度ＢＳ／ＣＳ用の全ての放送局に対応する全局ＳＩが取得される。
【００９２】
ステップＳ３３では、全局ＳＩ生成部４２は、ステップＳ３１で生成した自主放送用の全局ＳＩと、ステップＳ３２で取得した高度ＢＳ／ＣＳ用の全局ＳＩを合成する。これにより、自主放送と高度ＢＳ／ＣＳ放送に含まれる全ての放送に関する全局ＳＩを得る。
【００９３】
ステップＳ３４では、全局ＳＩ生成部４２は、ステップＳ３３で生成した全局ＳＩを自主放送部１０−１〜１０−ｍのそれぞれに対して供給する。この結果、ＭＵＸ１３は、バッファ１２−１に格納されている各局ＳＩを、ＨＥＶＣエンコーダ１１から供給される放送信号に対して重畳する。また、ＴＬＶ生成部１４は、ＭＵＸ１３から供給されるデータに含まれているＴＬＶ−ＮＩＴを、全局ＳＩ生成部４２から供給されるＴＬＶ−ＮＩＴによって置換する。
【００９４】
ステップＳ３５では、全局ＳＩ生成部４２は、ステップＳ３３で生成した全局ＳＩを高度ＢＳ／ＣＳ再放送部２０−１〜２０−ｐのそれぞれに対して供給する。この結果、ＭＭＴ置換部２３は、１６ＡＰＳＫ復調部２１から出力されるデータにもともと含まれているＭＭＴ−ＳＤＴおよびＭＭＴ−ＢＩＴを、全局ＳＩ生成部４２から供給されるＭＭＴ−ＳＤＴおよびＭＭＴ−ＢＩＴによって置換する。また、ＴＬＶ置換部２４は、ＭＭＴ置換部２３から出力されるデータにもともと含まれているＴＬＶ−ＮＩＴを、全局ＳＩ生成部４２から供給されるＴＬＶ−ＮＩＴによって置換する。
【００９５】
以上の処理によれば、サービス改変がなされた場合には、改変に対応した新たな全局ＳＩを生成して、自主放送部１０−１〜１０−ｍと、高度ＢＳ／ＣＳ再放送部２０−１〜２０−ｐのそれぞれに対して供給することができる。
【００９６】
（Ｇ）変形実施形態の説明
以上の各実施形態は一例であって、本発明が上述したような場合のみに限定されるものでないことはいうまでもない。例えば、以上の各実施形態では、２つのバッファ１２−１，１２−２を設けるようにしたが、これらをまとめて１つのバッファとしてもよい。
【００９７】
また、以上の各実施形態では、自主放送装置１に４Ｋ（８Ｋ）ＴＶ１７を設けるようにしたが、４Ｋ（８Ｋ）ＴＶ１７を設けない構成としてもよい。あるいは、複数台の４Ｋ（８Ｋ）ＴＶを設けるようにしてもよい。
【００９８】
また、ＳＩ生成部４３、４Ｋ／２Ｋ変換部５１、バッファ５２、ＭＵＸ５３、および、ＯＦＤＭ変調部５４を、図２に示す第１実施形態に追加し、受信装置３−１〜３−ｎを図９に示す構成としてもよい。そのような構成によれば、ホテル等の客室においても自主放送を視聴することができる。
【００９９】
また、第３実施形態では、ＳＩ生成部４３を別個に設けるようにしたが、ＳＩ生成部４３を、各局ＳＩ生成部４１または全局ＳＩ生成部４２に含める構成としてもよい。
【０１００】
また以上の実施形態では、全局ＳＩがＴＬＶ−ＮＩＴ、ＭＨ−ＳＤＴ、ＭＨ−ＢＩＴ、ＭＨ−ＴＯＴを有する構成を示したが、これ以外の構成であってもよい。より詳細には、例えば、後段に配される４Ｋ（８Ｋ）ＴＶの仕様によって適宜省略してもよい。なお、全局ＳＩがＴＬＶ−ＮＩＴを有することで、後段に配される４Ｋ（８Ｋ）ＴＶでの自主放送の選局が可能となるため、少なくともＴＬＶ−ＮＩＴを有する全局ＳＩを用いるのが好ましい。
【符号の説明】
【０１０１】
１  自主放送装置
２−１〜２−ｎ  光伝送路
３−１〜３−ｎ  受信装置
１１  ＨＥＶＣエンコーダ（入力手段）
１２−１，１２−２  バッファ
１３  ＭＵＸ（各局ＳＩ付加手段、全局ＳＩ付加手段）
１４  ＴＬＶ生成部（全局ＳＩ付加手段）
１５  １６ＡＰＳＫ変調部
１６  混合部（周波数多重手段）
１７  ４Ｋ（８Ｋ）ＴＶ
１８  分配部
１９−１〜１９−ｎ  Ｅ／Ｏ（送信手段）
２０  高度ＢＳ／ＣＳ再放送装置
２０−１〜２０−ｐ  高度ＢＳ／ＣＳ再放送部
２１  １６ＡＰＳＫ復調部（高度ＢＳ／ＣＳ放送信号受信手段）
２２  ＴＬＶ＆ＭＭＴ抽出部（抽出手段）
２３  ＭＭＴ置換部
２４  ＴＬＶ置換部
２５  １６ＡＰＳＫ変調部
３１  Ｏ／Ｅ（受信手段）
３２  ４Ｋ（８Ｋ）ＴＶ
３３−１〜３３−ｑ  ２ＫＴＶ
４１  各局ＳＩ生成部（各局ＳＩ生成手段）
４２  全局ＳＩ生成部（全局ＳＩ生成手段、合成手段）
４３  ＳＩ生成部
５１  ４Ｋ／２Ｋ変換部（変換手段）
５２  バッファ
５３  ＭＵＸ
５４  ＯＦＤＭ変調部
【図１】
2017208788.tif 000003
【図２】
2017208788.tif 000004
【図３】
2017208788.tif 000005
【図４】
2017208788.tif 000006
【図５】
2017208788.tif 000007
【図６】
2017208788.tif 000008
【図７】
2017208788.tif 000009
【図８】
2017208788.tif 000010
【図９】
2017208788.tif 000011
【図１０】
2017208788.tif 000012
【図１１】
2017208788.tif 000013
【図１２】
2017208788.tif 000014